(57)【特許請求の範囲】
【請求項１】
光学フィルムであって、
同一の第１の方向に沿って延在する複数のリニアプリズムを備える第１の構造化主表面と、
複数の密充填された微小レンズを備える、対向する第２の構造化主表面と、を備え、各微小レンズが、最大の横方向寸法Ｄ、円相当径ＥＣＤ及び焦点に対応する有限の焦点の長さｆを有し、前記複数の密充填された微小レンズが、平均の最大の横方向寸法Ｄａｖｇ、平均の円相当径ＥＣＤａｖｇ及び平均の焦点の長さｆａｖｇを有し、ＥＣＤａｖｇ／ｆａｖｇが０．０５〜０．２０の範囲にあり、Ｄａｖｇが５０μｍ未満であり、前記第２の構造化主表面の３０％未満が、５度よりも大きい勾配の大きさを有する、光学フィルム。
【請求項２】
光学フィルムであって、
同一の第１の方向に沿って延在する複数のリニアプリズムを備える第１の構造化主表面と、
複数の密充填された微小レンズを備える、対向する第２の構造化主表面と、を備え、各微小レンズが、円相当径ＥＣＤ及び焦点に対応する有限の焦点の長さｆを有し、前記複数
の密充填された微小レンズが平均の円相当径ＥＣＤａｖｇ及び平均の焦点の長さｆａｖｇを有し、ＥＣＤａｖｇ／ｆａｖｇが０．０５〜０．２０の範囲にあり、前記複数の密充填された微小レンズ中の前記微小レンズの少なくとも９０％が、３０μｍ未満の最近隣の焦点距離を有し、前記第２の構造化主表面の３０％未満が、５度よりも大きい勾配の大きさを有する、光学フィルム。
【請求項３】
光学フィルムであって、
同一の第１の方向に沿って延在する複数のリニアプリズムを備える第１の構造化主表面と、
複数の密充填された微小レンズを備える、対向する第２の構造化主表面と、を備え、各微小レンズが、最大の横方向寸法Ｄを有し、前記複数の密充填された微小レンズが、平均の最大の横方向寸法Ｄａｖｇを有し、Ｄａｖｇが、５０μｍ未満であり、前記複数の密充填された微小レンズ中の前記微小レンズの少なくとも９０％が、３０μｍ未満の最近隣の焦点距離を有し、前記第２の構造化主表面の３０％未満が５度よりも大きい勾配の大きさを有する、光学フィルム。
【発明の詳細な説明】
【技術分野】
【０００１】
本開示は、構造化光学フィルム、特に、高い光学的均一性を有する構造化光学フィルムに関する。
【背景技術】
【０００２】
液晶ディスプレイ（ＬＣＤ）システムなどのディスプレイシステムは、例えば、コンピュータ用モニター、携帯情報端末（ＰＤＡ）、携帯電話、小型音楽プレーヤー、及び薄型ＬＣＤテレビなどの市販の装置などの様々な用途で用いられている。大部分のＬＣＤは、液晶パネルと、液晶パネルを照射するためのバックライトと呼ばれることが多い拡張された面積の光源とを含む。バックライトは、典型的には、１つ以上のランプと、多数の光管理フィルム（例えば、ライトガイド、ミラーフィルム、再導光フィルム、リターダーフィルム、偏光フィルム、及び拡散体フィルム）とを備える。拡散体フィルムは、典型的には、光学的欠陥を隠し、バックライトによって放射される光の輝度均一性を向上させるために含まれる。
【発明の概要】
【課題を解決するための手段】
【０００３】
本開示は、構造化光学フィルム、特に、他の態様の内で高い光学的均一性及び減少したスパークルを有する構造化光学フィルムに関する。光学フィルムは、同一の第１の方向に沿って延在する複数のリニアプリズムを備える第１の構造化主表面及び複数の密充填された微小レンズを備える対向する第２の構造化主表面を備える。第２の構造化主表面は、約３％〜約２５％の範囲の光学ヘーズを有する。光学フィルムは、高い光学的均一性及び減少したスパークルを有する。
【０００４】
多数の実施形態では、光学フィルムは、同一の第１の方向に沿って延在する複数のリニアプリズムを備える第１の構造化主表面及び複数の密充填された微小レンズを備える対向する第２の構造化主表面を備える。各微小レンズは、最大の横方向寸法Ｄ、円相当径ＥＣＤ及び焦点に対応する有限の焦点の長さｆを有する。複数の密充填された微小レンズは、平均の最大の横方向寸法Ｄａｖｇ、平均の円相当径ＥＣＤａｖｇ及び平均の焦点の長さｆａｖｇを有し、ＥＣＤａｖｇ／ｆａｖｇは約０．０５〜約０．２０の範囲にあり、Ｄａｖｇは約５０μｍ未満であり、第２の構造化主表面の約３０％未満は約５度よりも大きい勾配の大きさを有する。
【０００５】
更なる実施形態では、光学フィルムは、同一の第１の方向に沿って延在する複数のリニアプリズムを備える第１の構造化主表面及び複数の密充填された微小レンズを備える対向する第２の構造化主表面を備える。各微小レンズは、最大の横方向寸法Ｄ、円相当径ＥＣＤ及び焦点に対応する有限の焦点の長さｆを有する。複数の密充填された微小レンズは、平均の円相当径ＥＣＤａｖｇ及び平均の焦点の長さｆａｖｇを有し、ＥＣＤａｖｇ／ｆａｖｇは約０．０５〜約０．２０の範囲にあり、Ｄａｖｇは約５０μｍ未満であり、複数の密充填された微小レンズ中の微小レンズの少なくとも９０％は約３０μｍ未満の最近隣の焦点距離を有し、第２の構造化主表面の約３０％未満は約５度よりも大きい勾配の大きさを有する。
【０００６】
一部の実施形態では、光学フィルムは、同一の第１の方向に沿って延在する複数のリニアプリズムを備える第１の構造化主表面及び複数の密充填された微小レンズを備える対向する第２の構造化主表面を備える。各微小レンズは最大の横方向寸法Ｄを有し、複数の密充填された微小レンズは、最大の横方向寸法Ｄａｖｇを有し、Ｄａｖｇは約５０μｍ未満であり、複数の密充填された微小レンズ中の前記微小レンズの少なくとも９０％は約３０μｍ未満の最近隣の焦点距離を有し、第２の構造化主表面の約３０％未満が約５度よりも大きい勾配の大きさを有する。
【０００７】
本発明の１つ又は２つ以上の実施形態の詳細を添付の図面及び以下の説明文に記載する。本発明の他の特徴、目的、及び利点は、説明及び図面、並びに特許請求の範囲から明らかとなるであろう。
【図面の簡単な説明】
【０００８】
本開示の様々な実施形態の以下の詳細な説明を、添付の図面と合せて考慮することで、本開示のより完全な理解が可能である。
【図１】構造化光学フィルムの概略側面図である。
【図２】密充填された微小レンズの概略上面図である。
【図３】試料（実施例Ａ）の密充填された微小レンズ面の顕微鏡写真である。
【図４】試料（実施例Ａ）に対する最大の横方向寸法の累積分布のグラフである。
【図５】実施例Ａに対する平均ピーク高さの累積分布のグラフである。
【図６】実施例Ａに対する最大ピーク高さの累積分布のグラフである。
【図７】試料（実施例Ａ）に対するＥＣＤの累積分布のグラフである。
【図８】実質的にコリメートした光を用いて照明した試料（実施例Ａ）の顕微鏡写真である。
【図９】最近隣の焦点（図８中で最高の強度の点）距離の累積分布のグラフである。
【図１０】ディスプレイシステムの概略側面図である。
【図１１】最上部及び底部の構造化光学フィルムの概略側面図である。
【図１２】代表的な表面に対する勾配の大きさの累積分布のグラフである。
【０００９】
本明細書で提示される概略図は必ずしも縮尺通りではない。図面で用いた類似の番号は、類似の構成要素及び工程等を表す。しかし、所与の図中の構成要素を指す数字の使用は、同一数字を付された別の図中の構成要素を限定するものではないことは理解されよう。加えて、要素について言及するための異なる数字の使用は、異なる番号が付された要素が同一又は同様であり得ないことを意図するものではない。
【発明を実施するための形態】
【００１０】
以下の発明を実施するための形態では、その一部を構成する添付図面を参照し、図中には、装置、システム、及び方法のいくつかの特定の実施形態が実例として示されている。他の実施形態が、本開示の範囲及び趣旨から逸脱することなく、想起され、実施されうる点は理解されるはずである。したがって、以下の詳細な説明は、限定的な意味で解釈されるべきではない。
【００１１】
本明細書において使用されるすべての科学用語及び技術用語は、特に示されない限りは、当該技術分野において一般的に用いられている意味を有するものである。本明細書において与えられる用語の定義は、本明細書において頻繁に使用される特定の用語の理解を容易にするためのものであって、本開示の範囲を限定しようとするものではない。
【００１２】
本明細書及び添付の「特許請求の範囲」で使用されるとき、単数形「ａ」、「ａｎ」、及び「ｔｈｅ」は、その内容が明らかにそうでないことが示さないかぎりは複数の指示物を有する実施形態を包含する。
【００１３】
本明細書及び付属の特許請求の範囲において使用される「又は」なる語は、そうでないことが内容により明らかに示されない限りは、その「及び／又は」を含む意味で一般的に用いられる。
【００１４】
本明細書で使用するとき、「有する（have）」、「有する（having）」、「含む（include）」、「含む（including）」、「備える（comprise）」、「備える（comprising）」等は、制限のない意味で使用されており、一般に、「含むがそれに限らない」ことを意味する。「からなる」及び「から本質的になる」という用語は、「含む（comprising）」等の用語に包含されることが理解されよう。
【００１５】
本明細書において参照されるあらゆる方向、例えば「最上部」、「最下部」、「左」、「右」、「上側」、「下側」、「上方」、「下方」など並びにその他の方向及び向きは、図を参照して明確にするために本明細書において記載され、実際の装置若しくはシステム、又は装置若しくはシステムの使用を限定するものではない。本明細書に記載される装置、物品、又はシステムの多くは、多数の方向及び向きで使用されてもよい。
【００１６】
本開示は、構造化光学フィルム、特に他の態様の内高い光学的均一性及び減少したスパークルを有する構造化光学フィルムを記述する。光学フィルムは、同一の第１の方向に沿って延在する複数のリニアプリズムを備える第１の構造化主表面及び複数の密充填された微小レンズを備える対向する第２の構造化主表面を備える。第２の構造化主表面は、約３％〜約２５％の範囲の光学ヘーズを有する。光学フィルムは、その下のプリズムフィルムと一緒に使用されるとき、高い光学的均一性及び減少したスパークルを呈する。このヘーズ範囲は、微小レンズの集合を特定の大きさの範囲及び形状内で使用してスパークルを最小化する一方で創出可能であるということが判った。本開示はそのように限定されるものではないが、以下に示す例の考察を通じて本開示の様々な態様の認識が得られるであろう。
【００１７】
本明細書で述べられる構造化光学フィルムは、複数のリニアプリズム及び構造化光学フィルムの対向する面上のマット構造を備えることができる。マット構造は、例えば、微小複製により形成可能な複数の密充填された微小レンズであることができる。マット構造は、「スパークル」として知られる光学的なアーチファクトを減少させるか、又は無くするように構成される。
【００１８】
マット表面（すなわち、密充填された微小レンズ）の１つの目的は、概ね、ＬＣＤバックライトシステムの照明の空間及び角度均一性を改善することである。このマット表面は、例えばモアレを含む様々な光学物品を減少させ、又は無くす一助となることができる。マット表面は、下基板表面から反射されるプリズム分散から生じる色の不均一性も隠蔽する。しかしながら、特定のマット表面は、スパークルなどの光学的な欠陥を導入する可能性があるということが判明した。「スパークル」は、ランダムパターンと見えるものの中で明輝度及び暗輝度の小領域からなる粒状のテクスチュア（テクスチュアむら）に見える光学的なアーチファクトを指す。明及び暗領域の位置は、視角の変化と共に変化する可能性があり、テクスチュアを観察者にとって目につき、不快なものとする。
【００１９】
スパークルは、マット構造と本明細書では物体と呼称される、下の別の構造との間の光学的な相互作用の結果として出現する。例えば、物体はＬＣＤの通常の画素の組であってもよく、マット構造はディスプレイのグレアを低減するためにその直上に置かれたフィルムであってもよい。マット表面はＬＣＤカラーフィルターマトリックスと相互作用するので、このようなスパークルは多色となることが多い。本明細書で記述される、マット表面又は密充填された微小レンズの配置は、スパークルを減少させるか又は無くするということが見出された。
【００２０】
図１は構造化光学フィルム１００の概略側面図である。構造化光学フィルム１００は、輝度を改善するための直線的な微小構造物１５０のアレイ及びディスプレイの外観を改善するためのマット表面１６０を備える。マット表面の光学ヘーズは、輝度を維持するために、２５％未満であるか又は３〜２５％の範囲にあるか、又は５〜２０％の範囲にあり、密充填された微小レンズの大きさ／配置はスパークルを減少させるか又は無くするような大きさとされる。
【００２１】
構造化光学フィルム１００は、ｙ方向に沿って延在する複数の微小構造物又はリニアプリズム１５０を包含する第１の主表面又は構造化表面１１０を備える。構造化光学フィルム１００は、対向する第１の主表面又は構造化表面１１０であり、かつ複数の微小構造物又は微小レンズ１６０を包含する第２の主表面又は構造化表面１２０を備える。
【００２２】
また、構造化光学フィルム１００は、第１の主表面１１０と第２の主表面１２０との間に配置された基材層１７０を含むことができ、第１の主表面１７２及び対向する第２の主表面１７４を含む。構造化光学フィルム１００は、基板層の第１の主表面１７２上に配置され、構造化光学フィルム１００の第１の主表面１１０を包含するプリズム層１３０、及び基板層の２の主表面１７４上に配置されたマット層１４０を含むことができ、構造化光学フィルム１００の第２の主表面１２０を包含する。艶消層１４０は主表面１２０の対向側に主表面１４２を有している。
【００２３】
代表的な構造化光学フィルム１００は３つの層１３０、１７０及び１４０を備える。一般に、構造化光学フィルム１００は１つ以上の層を有することができる。例えば、一部の場合には、構造化光学フィルム１００は、第１の主表面並びに第２の主表面１１０及び１２０を包含する単一の層を有することができる。別の例として、一部の場合には、構造化光学フィルム１００は多数の層を有することができる。例えば、このような場合において、基材１７０は多数の層を有してよい。
【００２４】
正のｚ方向に沿うなど、所望の方向に沿って構造化光学フィルム１００の主表面１２０に入射する光の光路を変更するように微細構造１５０を設計することができる。代表的な構造化光学フィルム１００では、微小構造１５０はプリズム状の直線的な構造である。一般に、微小構造１５０は、例えば、入射光線の一部を屈折させ、入射光線の別の一部を再利用することによって光を導光できる任意の種類の微小構造であってよい。例えば、微小構造１５０の断面形状は、湾曲かつ／又は区分的に直線的な部分であるか、これを含んだものとすることができる。例えば、特定の場合では、微小構造１５０を、ｙ方向に沿って延びる直線的な円筒形レンズとすることができる。
【００２５】
各直線的なプリズム状の微小構造１５０は、頂角１５２と、例えば主平面１７２などの共通基準面から測定された高さ１５４とを含む。光結合若しくはウェットアウトを低減させること、及び／又は再導光フィルムの耐久性を向上させることが望ましいなど幾つかの場合において、プリズム状の微小構造１５０の高さは、ｙ方向に沿って変化してよい。例えば、プリズム状の直線的な微小構造１５１のプリズム高さは、ｙ方向に沿って変化する。そのような場合、プリズム状の微小構造１５１は、ｙ方向に沿って変化する局所的な高さ、最大高さ１５５、及び平均高さを有する。一部の場合では、直線的な微小構造１５３などプリズム状の直線的な微小構造は、ｙ方向に沿って一定高さを有する。このような場合、微小構造は、最大高さ及び平均高さと等しい、一定の局所的な高さを有する。
【００２６】
光結合又はウェットアウトを減少させることが望ましい場合などの一部の場合、直線的な微小構造一部は低く、直線的な微小構造の一部は高い。例えば、直線的な微小構造１５３の高さ１５６は、直線的な微小構造１５７の高さ１５８よりも小さい。
【００２７】
頂角又は２面角１５２は、用途において望ましい可能性がある任意の値を有することができる。例えば、一部の場合、頂角１５２は、約７０度〜約１１０度、又は約８０度〜約１００度、又は約８５度〜約９５度の範囲であることができる。一部の場合には、微細構造１５０は、例えば、９０度など、約８８度又は８９度〜約９２度又は９１度の範囲であることができる、等しい頂角を有する。
【００２８】
プリズム層１３０は、用途において望ましい可能性がある任意の屈折率を有することができる。例えば、一部の場合、プリズム層の屈折率は、約１．４〜約１．８、又は約１．５〜約１．８、又は約１．５〜約１．７の範囲である。一部の場合、プリズム層の屈折率は、約１．５以上、又は約１．５５以上、又は約１．６以上、又は約１．６５以上、又は約１．７以上である。
【００２９】
構造化光学フィルム１００が液晶ディスプレイシステムで用いられる場合などの一部の場合では、構造化光学フィルム１００は、ディスプレイの輝度を増大又は向上させることができる。このような場合、再導光フィルムは、１よりも大きな有効透過率又は相対利得を有する。本明細書で用いるとき、有効透過率とは、ディスプレイシステム中で所定のフィルム無しのディスプレイの輝度に対する、所定のフィルムを有するディスプレイシステムの輝度の比のことである。
【００３０】
有効透過率（ＥＴ）は、光軸上で中心を合わせた光学系を用いて測定可能であり、放射面又は出射面からランベルト光を放射する中空のランベルトライトボックス、光吸収型直線偏光板、及び光検出器を備えている。ライトボックスは、光ファイバー経由でライトボックスの内部と接続された、安定化された広帯域光源によって照明される。光学システムによりＥＴを測定する試験サンプルを、ライトボックスと吸収型直線偏光子との間の位置に配置する。
【００３１】
リニアプリズム１５０が光検出器に面し、微小構造物１６０がライトッボックスに面するようにして、構造化光学フィルム１００をライトッボックスと吸収型直線偏光子との間の位置に置くことにより、構造化光学フィルム１００のＥＴを測定することができる。次に、スペクトル的に重み付けされた軸上輝度Ｉ１（光学軸に沿った輝度）を吸収型直線偏光子を通し光検出器により測定する。次いで、構造化光学フィルム１００を取り外し、スペクトル的に重み付けされた輝度Ｉ２を構造化光学フィルム１００無しで測定する。ＥＴは比Ｉ１／Ｉ２である。ＥＴ０は、リニアプリズム１５０が吸収型直線偏光子の偏光軸と平行の方向に沿って延在する場合の実効透過率であり、ＥＴ９０は、リニアプリズム１５０が吸収型直線偏光子の偏光軸に対して垂直の方向に沿って延在する場合の実効透過率である。平均実効透過率（ＥＴＡ）は、ＥＴ０とＥＴ９０との平均である。
【００３２】
本明細書で開示される有効透過率の値は、光検出器としてＳｐｅｃｔｒａＳｃａｎ（商標）ＰＲ−６５０  ＳｐｅｃｔｒａＣｏｌｏｒｉｍｅｔｅｒ（Ｐｈｏｔｏ  Ｒｅｓｅａｒｃｈ，Ｉｎｃ．（Ｃｈａｔｓｗｏｒｔｈ，ＣＡ）より入手可能）を使用して測定したものである。ライトボックスは全反射率が約８５％のテフロン立方体である。
【００３３】
構造化光学フィルム１００が輝度を増加させるためにディスプレイシステムで使用され、リニアプリズムが少なくとも約１．６である屈折率を有する場合などの一部の場合には、再導光フィルム平均の有効透過率（ＥＴＡ）は、少なくとも約１．３、又は少なくとも１．５、又は少なくとも１．７、又は少なくとも１．９、又は少なくとも２．１である。
【００３４】
図２は、密充填された微小レンズ１６０の概略上面図であり、ここで、密充填されたとは、主表面１７４の少なくとも９０％、又は少なくとも９２％、又は少なくとも９４％，又は少なくとも９６％，又は少なくとも９８％、又は少なくとも９９％が微小レンズにより覆われているという意味である。密充填された微小レンズ１６０は、再導光フィルムの再導光及び輝度を増強する能力に及ぼす悪影響を皆無、又は極小に保って、スパークルを減少させるか又は最小化するように構成される。例えば、構造化光学フィルム１００の平均の有効透過率は、第２の主表面が密充填された微小レンズ１６０により構造化されていないことを除いて同一の構成を有する光学フィルムと比べて、同じか高い、又は低く、その差は約１０％以下、又は８％、又は６％、又は５％、又は４％又は３％である。
【００３５】
再導光フィルムの再導光及び輝度を増強する能力に及ぼす悪影響を皆無、又は極小に保って、スパークルを低減又は最小化する密充填された微小レンズ１６０の構成は、多数の方法で記述可能であり、方法としては、最大の横方向寸法Ｄ、平均の最大の横方向寸法Ｄａｖｇ、有限の焦点の長さｆ、平均の焦点の長さｆａｖｇ、Ｄ／ｆ、Ｄａｖｇ／ｆａｖｇ、円相当径ＥＣＤ、平均の円相当径ＥＣＤａｖｇ、ＥＣＤａｖｇ／ｆａｖｇ、ピーク高さ、最近隣の焦点距離、及び勾配の大きさが挙げられる。
【００３６】
第２の主表面１２０は３〜２５％、又は５〜２０％の範囲の光学ヘーズを有する。本明細書で使用されるとき、光学ヘーズは、垂直方向から４度を超えて偏っている透過光と全透過光との比として定義される。本明細書で開示するヘイズ値は、ＡＳＴＭＤ  １００３に述べられている方法にしたがって、Ｈａｚｅ−Ｇａｒｄ  Ｐｌｕｓヘーズメーター（ＢＹＫ−Ｇａｒｄｉｎｅｒ（Ｓｉｌｖｅｒ  Ｓｐｒｉｎｇｓ，Ｍｄ．））を使用して測定されたものである。本明細書で用られるとき、光学的透明度とは、（Ｔ１−Ｔ２）／（Ｔ１＋Ｔ２）の比を指し、ここで、Ｔ１は垂直方向から１．６〜２度だけ偏っている透過光、Ｔ２は垂直方向から０〜０．７度の透過光である。本明細書で開示する透明度値は、ＢＹＫ−ＧａｒｄｉｎｅｒからのＨａｚｅ−Ｇａｒｄ  Ｐｌｕｓヘーズメーターを使用して測定されたものである。
【００３７】
密充填された微小レンズ１６０は凸である。多数の実施形態では、密充填された微小レンズ１６０は基板１７０から遠ざかって延在する凸の突起である。一部の場合には、密充填された微小レンズ１６０は規則的なパターンを形成する。一部の場合には、密充填された微小レンズ１６０は、図２に示すような不規則なパターンを形成する。一部の場合には、密充填された微小レンズ１６０は、ランダムであるように見える疑ランダムパターンを形成する。
【００３８】
密充填された微小レンズ１６０は、約５０μｍ未満、又は約４５μｍ未満、又は約４０μｍ未満、又は約３５μｍ未満、又は約３０μｍ未満、又は約２５μｍ未満、又は約２０μｍ未満の平均の横方向寸法Ｄａｖｇを有することができる。多数の実施形態では、密充填された微小レンズ１６０の少なくとも８０％は、約５０μｍ未満である最大の横方向寸法Ｄを有し、又は密充填された微小レンズの少なくとも８０％は、約４５μｍ未満である最大の横方向寸法Ｄを有し、又は密充填された微小レンズの少なくとも８０％は、約４０μｍ未満である最大の横方向寸法Ｄを有し、又は密充填された微小レンズの少なくとも４０％は、約３２μｍ未満である最大の横方向寸法Ｄを有し、又は密充填された微小レンズ１６０の少なくとも２０％は、約２４μｍ未満である最大の横方向寸法Ｄを有する。
【００３９】
密充填された微小レンズ１６０は、約２５０μｍ未満、又は約２２５μｍ未満、又は約２００μｍ未満である、平均焦点距離に相当する平均の焦点の長さｆを有することができる。
【００４０】
密充填された微小レンズ１６０は円相当径ＥＣＤを有することができる。多数の実施形態では、密充填された微小レンズの少なくとも８０％は、約２７μｍ未満である円相当径ＥＣＤを有し、又は密充填された微小レンズの少なくとも４０％は、約２０μｍ未満である円相当径ＥＣＤを有し、又は密充填された微小レンズの少なくとも２０％は、約１４μｍ未満である円相当径ＥＣＤを有する。
【００４１】
密充填された微小レンズ１６０は、約０．０５〜約０．２０、又は約０．０５〜約０．１９、又は約０．０６〜約０．１９、又は約０．０６〜約０．１８、又は約０．０７〜約０．１８の範囲のＥＣＤａｖｇ／ｆａｖｇを有することができる。
【００４２】
密充填された微小レンズ１６０は、約１．５μｍ未満、又は約１．２μｍ未満、又は約０．７μｍ未満である、ピーク高さを有することができる。
【００４３】
密充填された微小レンズ１６０は最近隣の焦点距離を有する。多数の実施形態では、密充填された微小レンズの少なくとも９０％は約３０μｍ未満の最近隣の焦点距離を有し、又は密充填された微小レンズの少なくとも９０％は約２５μｍ未満の最近隣の焦点距離を有し、又は密充填された微小レンズの少なくとも４０％は約１８μｍ未満の最近隣の焦点距離を有し、又は密充填された微小レンズの少なくとも２０％は約１５μｍ未満の最近隣の焦点距離を有する。
【００４４】
密充填された微小レンズ１６０又は第２の主表面１２０は、第１の方向に第１の視角ＡＨをもって及び第１の方向と直交する第２の方向にＡＨに実質的に等しい第２の視角ＡＶをもって光を散乱する。多数の実施形態では、ＡＶとＡＨとの差異は１０度未満又は５度未満である。他の実施形態では、密充填された微小レンズ１６０又は第２の主表面１２０は、第１の方向に第１の視角ＡＨをもって及び第１の方向と直交する第２の方向にＡＨに実質的に異なる第２の視角ＡＶをもって光を散乱する。これらの実施形態では、ＡＶとＡＨとの差異は１５度超又は２０度超又は２５度である。
【００４５】
密充填された微小レンズ１６０又は第２の構造化表面１６０は勾配の大きさを有すると記述可能である。ほぼ２００μｍ×２００μｍの試料に適用した原子間力顕微鏡（ＡＦＭ）を用いて勾配の大きさを求めた。ｘ−及びｙ方向に沿った勾配Ｓｘ及びＳｙを以下の２つの式より計算した。
【００４６】
【数１】
0006293114.tif 000002
式中、Ｈ（ｘ，ｙ）は、表面形状である。勾配Ｓｘ及びＳｙは、０．５度の勾配ビンサイズを用いて計算した。勾配の大きさＳｍを次の式から計算した：
【００４７】
【数２】
0006293114.tif 000003
【００４８】
図１２は、代表的な実施形態に対する％累積勾配分布Ｓｃ（θ）を示し、Ｓｃ（θ）を次の式から計算した：
【００４９】
【数３】
0006293114.tif 000004
【００５０】
多数の実施形態では、第２の構造化表面の３０％未満は約５度よりも大きい勾配の大きさを有し、又は第２の構造化表面の２０％未満は約５度よりも大きい勾配の大きさを有し、又は第２の構造化表面の１５％未満は約５度よりも大きい勾配の大きさを有し、又は第２の構造化表面の１０％未満は約５度よりも大きい勾配の大きさを有し、又は第２の構造化表面の４０％未満は約４度よりも大きい勾配の大きさを有し、又は第２の構造化表面の３０％未満は約４度よりも大きい勾配の大きさを有し、又は第２の構造化表面の２５％未満は約４度よりも大きい勾配の大きさを有し、又は第２の構造化表面の５０％未満は約３度よりも大きい勾配の大きさを有し、又は第２の構造化表面の４５％未満は約３度よりも大きい勾配の大きさを有し、又は第２の構造化表面の４０％未満は約３度よりも大きい勾配の大きさを有し、又は第２の構造化表面の８０％未満は約２度よりも大きい勾配の大きさを有し、又は第２の構造化表面の７０％未満は約２度よりも大きい勾配の大きさを有し、又は第２の構造化表面の６５％未満は約２度よりも大きい勾配の大きさを有する。
【００５１】
微小構造物又は密充填された微小レンズ１６０は、用途で望ましい任意の加工方法を用いて作製することができる。例えば、密充填された微小レンズ１６０は、工具から微小複製によって製造することが可能であり、こうした工具は彫刻又はダイヤモンド旋盤の使用などの任意の利用可能な製造方法によって製造することができる。代表的なダイヤモンド切削システム及び同方法は、その開示が参照によって本明細書に全体が組み込まれている、ＰＣＴ国際特許公開出願第００／４８０３７号並びに米国特許第７，３５０，４４２号及び同第７，３２８，６３８号に記載されている高速工具サーボ（ＦＴＳ）を含み、及び利用することができる。
【００５２】
図１０は、観察者２９９９に情報を表示するためのディスプレイシステム２９００の概略的側面図である。ディスプレイシステムは、バックライト２９２０上に配置され、バックライト２９２０によって照射される、液晶パネル２９１０を含む。液晶パネル２９１０は、光吸収型直線偏光子２９３５と２９４０との間に配置された液晶セル２９３０を含む。ディスプレイシステム２９００が観測者２９９９に対して画像を表示する場合のような特定の場合では、液晶パネル２９１０をピクセル化することができる。
【００５３】
バックライト２９２０は、側方反射体２９９５内に収容されたランプ２９９０からライトガイドのエッジを通じて光を受光するライトガイド２９７０、後方反射体に入射する光を観測者２９９９の方向に反射するための後方反射体２９８０、ライトガイドの発光面２９７５から出射する光２９８５を均質化するための光学拡散体２９６０、及び光学拡散体と反射偏光板２９５０との間に配置された光学積層体２８００を備えている。
【００５４】
光学積層体２８００は１つ以上の構造化光学フィルム１００を包含することができる。一部の場合には、２つの構造化光学フィルム１００のリニアプリズム構造が相互に直交して配向されている、２つの構造化光学フィルム１００が使用される。例えば，図１１は、最下部フィルム１１２０上に配置されたフィルム１００に類似の、フィルム１００にも類似した最上部フィルム１１１０の概略側面図である。一部の場合には、フィルム１１２０の最下部主表面は平滑であってもよい。密充填された微小レンズ１６０はライトガイド２９７０と面することができ、プリズム状微小構造物はライトガイドからみて外方に向くことができる。
【００５５】
光学積層体２８００は、ディスプレイシステムの軸上輝度など輝度を向上させることができる。同時に、光学積層体の密充填された微小レンズ１６０は、引っ掻き傷などの物理的な欠陥を遮蔽するのに充分に低い光学的透明度を有し、モアレ及び色むらなどの光学的な欠陥を隠蔽するか及び／又は無くし、同時にスパークルを減少させ、又は無くす。
【００５６】
反射偏光子２９５０は、第１の偏光状態を有する光を実質的に反射し、第２の偏光状態を有する光を実質的に透過し、この２つの偏光状態は、相互に直交する。例えば、反射偏光子２９５０によって実質的に反射される偏光状態の可視部における反射偏光子の平均反射率は、少なくとも約５０％、又は少なくとも約６０％、又は少なくとも約７０％、又は少なくとも約８０％、又は少なくとも約９０％、又は少なくとも約９５％である。別の例として、反射偏光子２９５０によって実質的に透過される偏光状態の可視部における反射偏光子の平均透過率は、少なくとも約５０％、又は少なくとも約６０％、又は少なくとも約７０％、又は少なくとも約８０％、又は少なくとも約９０％、又は少なくとも約９５％、又は少なくとも約９７％、又は少なくとも約９８％、又は少なくとも約９９％である。一部の場合、反射偏光子２９５０は、第１の直線偏光状態を有する光を（例えば、ｘ方向に沿って）実質的に反射し、第２の直線偏光状態を有する光を（例えば、ｙ方向に沿って）実質的に透過する。
【００５７】
反射偏光層２９５０には、任意の好適な種類の反射偏光子、例えば、多層光学フィルム（ＭＯＦ）反射偏光子、３Ｍ  Ｃｏｍｐａｎｙ（Ｓｔ．Ｐａｕｌ，Ｍｉｎｎｅｓｏｔａ）から入手可能なＶｉｋｕｉｔｉ（商標）などの拡散反射性偏光子フィルム（「ＤＲＰＦ」）などの連続相及び分散相を有する拡散反射偏光フィルム（ＤＲＰＦ）、例えば米国特許第６，７１９，４２６号に記載されるワイヤグリッド反射偏光子、又はコレステリック反射偏光子などを用いてもよい。
【００５８】
例えば、一部の場合、反射偏光子２９５０は、異なるポリマー材料の交互層で形成されるＭＯＦ反射偏光子であるか、これを含んでよく、一連の交互層のうちの１つは複屈折材料で形成され、異なる材料の屈折率は、１つの直線偏光状態で偏光された光に一致し、直交する直線偏光状態の光には一致しない。このような場合、一致した偏光状態の入射光線は、反射偏光子２９５０を実質的に透過し、一致しない偏光状態の入射光線は、反射偏光子２９５０によって実質的に反射される。一部の場合、ＭＯＦ反射偏光子２９５０は、無機誘電体層の積層体を含んでよい。
【００５９】
別の例として、反射偏光子２９５０は、通過状態で中間軸上平均反射率を有する部分反射層であるか、これを含んでよい。例えば、部分反射層は、ｘｙ平面などの第１の平面にて偏光された可視光に対して、少なくとも約９０％の軸上平均反射率を、また第１の平面に垂直な、ｘｚ平面などの第２の平面にて偏光された可視光に対して、約２５％〜約９０％の範囲の軸上平均反射率を有することができる。このような部分反射層は、例えば、その開示は参照によりその全てが本明細書に組み込まれる、米国特許出願第２００８／０６４１３３号に記載されている。
【００６０】
一部の場合、反射偏光子２９５０は、円反射偏光子であるか、これを含んでよく、一方向（時計回り又は反時計回りの方向であってもよく、右円偏光又は左円偏光とも呼ばれる）に円偏光された光が優先的に透過され、反対の方向に偏光された光は優先的に反射される。円偏光子の１つのタイプは、コレステリック液晶偏光子を含む。
【００６１】
一部の場合、反射偏光板２９５０は、例えば、いずれも全体で本明細書に組み込まれている、２００９年１１月１９日出願の米国仮特許出願第６１／１１６１３２号、２００８年１１月１９日出願の米国仮特許出願第６１／１１６２９１号、２００８年１１月１９日出願の米国仮特許出願第６１／１１６２９４号、２００８年１１月１９日出願の米国仮特許出願第６１／１１６２９５号、２００８年１１月１９日出願の米国仮特許出願第６１／１１６２９５号、及び、２００年４月１５日（April 15, 200）出願の米国仮特許出願第６０／９３９０８５号に基づく優先権を主張する２００８年５月１９日出願の国際特許出願第ＰＣＴ／ＵＳ  ２００８／０６０３１１号に述べられるものなどの、光学的干渉によって光を反射又は透過する多層光学フィルムであってよい。
【００６２】
光学拡散体２９６０は、ランプ２９９０を隠蔽又は遮蔽し、光ガイド２９７０から放射される光２９８５を均質化するという主要機能を有する。光学拡散体２９６０は、高い光学ヘーズ及び／又は高い光学拡散反射率及び／又は透過率有する。例えば、一部の場合、光学拡散体の光学ヘーズは、約４０％以上、又は約５０％以上、又は約６０％以上、又は約７０％以上、又は約８０％以上、又は約８５％以上、又は約９０％以上、又は約９５％以上である。別の例として、光学拡散体の散乱光反射率は、約３０％以上、又は約４０％以上、又は約５０％以上、又は約６０％以上である。
【００６３】
光学拡散体２９６０は、用途において望ましい可能性のある、及び／又は使用可能である光学拡散体であるか、これを含んでよい。例えば、光学拡散体２９６０は、表面拡散体、体積拡散体、又はこれらの組み合わせであるか、これを含んでよい。例えば、光学拡散体２９６０は、結合剤中に分散された第１の屈折率ｎ１を有する複数の粒子、又は異なる屈折率ｎ２を有するホスト媒質を含んでよく、２つの屈折率の差は、少なくとも約０．０１、又は少なくとも約０．０２、又は少なくとも約０．０３、又は少なくとも約０．０４、又は少なくとも約０．０５である。
【００６４】
後方反射体２９８０は、負のｚ方向に沿って観察者２９９９から離れる方向に光ガイドによって放射される光を受け取り、受け取った光を観察者に向けて反射する。ランプ２９９０が光ガイドのエッジに沿って配置されたディスプレイシステム２９００などのディスプレイシステムは、一般に、エッジライト又はバックライトディスプレイ又は光学システムと呼ばれる。一部の場合、後方反射体は部分的に反射性であり、部分的に透過性であってよい。特定の場合では、後方反射体は例えば構造化表面を有するように構造化することができる。
【００６５】
後方反射体２９８０は、用途において望ましい及び／又は実用的である可能性がある任意の種類の反射体であってよい。例えば、後方反射体は、いずれも参照として全体で本明細書に組み込まれている、２００７年５月２０日出願の米国特許仮出願第６０／９３９０８５号からの優先権を主張している、２００８年５月１９日出願の国際特許出願第ＰＣＴ／ＵＳ  ２００８／０６４１１５号に開示されているものなどの、鏡面反射体、半鏡面又は半拡散反射体又は拡散反射体であることができる。例えば、反射体は、アルミ被覆したフィルム又は増強された鏡面反射体（ＥＳＲ）フィルム（３Ｍ  Ｃｏｍｐａｎｙ（Ｓｔ．Ｐａｕｌ，ＭＮ）から入手可能）などの多層ポリマー反射性フィルムであることができる。別の例としては、後方反射体２９８０は、白色の外観を有する拡散反射体とすることができる。
【００６６】
本明細書で使用するところの「垂直」、「水平」、「上方」、「下方」、「左」、「右」、「上側」及び「下側」、「時計回り」及び「反時計回り」などの用語、並びに他の同様の用語は、図に示される相対的な位置を示す。広くは、物理的実施形態は異なる配向を有することができ、その場合、用語は、装置の実際の配向に修正された相対位置を意味するように意図されている。例えば、図１の画像が図の配向と比べて反転していても、第１の主表面１１０は、最上部の主表面であると見なされる。
【００６７】
開示されたシステム及び構造物の利点の幾つかは、以下の実施例によって更に説明される。この実施例で列挙される特定の材料、量及び寸法、並びに他の条件及び詳細は、本発明を不当に制限するものと解釈されるべきではない。
【実施例】
【００６８】
５．４μｍのマシンピッチを使用して国際特許出願第ＰＣＴ／ＵＳ  ２０１０／０３６０１８号で以前に記述されたカッティングツールシステムにより作製したパターンを付けたロールを用いて、５０μｍ厚のポリエチレンテレフタレート（ＰＥＴ）基板上で微小複製することにより、マットコーティング付きフィルム（実施例Ａ）を作製した。フィルム（ほぼ４００μｍ×４００μｍ）からの試料（実施例Ａ）の顕微鏡写真を図３に示す。
【００６９】
次いで、図１に示す表面（密充填された微小レンズ）のキャラクタリゼーションを行った。最初に、原子間力顕微鏡（ＡＦＭ）を使用して、試料の高さマップを作製した。同定した各ピーク領域に対して、面積、横方向寸法及び高さを、ＭＡＴＬＡＢ画像解析ソフトウエア（Ｔｈｅ  ＭａｔｈＷｏｒｋｓ  Ｉｎｃ．（Ｎａｔｉｃｋ  ＭＡ）から入手可能）を用いて測定した。この試料のピーク領域に対する平均面積は約３３１平方μｍであった。平均の最大の横方向寸法は約２９μｍであり、平均の最小の横方向寸法は約１６μｍであった。試料（実施例Ａ）に対する最大の横方向寸法の累積分布を図４に示す。
【００７０】
実施例Ａに対して最小及び最大ピーク高さも測定した。最大ピーク高さをピーク領域内の最大ｚ値からマイナスピーク領域の周辺上の最小ｚ値として計算した。最小ピーク高さをピーク領域中の最大ｚ値マイナスピーク領域の周辺上の最大ｚ値として計算した。次いで、平均ピーク高さは、ピーク領域中の最大ｚ値マイナスピーク領域の周辺上の平均ｚ値であった。平均ピーク高さの最大は約０．７μｍであり、平均ピーク高さの最小は約０．１μｍであった。実施例Ａに対する平均ピーク高さの累積分布を図５に示し、実施例Ａに対する最大ピーク高さの累積分布を図６に示す。
【００７１】
実施例Ａに対するピーク領域の円相当径（ＥＣＤ）を、与えられた領域と同一の面積を有する円の直径として求めた。示される試料（実施例Ａ）に対しては、試料のピーク領域の平均ＥＣＤはほぼ１９μｍであった。試料（実施例Ａ）に対するＥＣＤの累積分布を図７に示す。
【００７２】
ピーク領域により定義される微小レンズの代表的な集合に対して光学顕微鏡を用いて焦点距離を測定した。手順は、各微小レンズ中に遠い点源を描き、次いで微小レンズの焦点と微小レンズ表面との間の距離を測定した。最初に、顕微鏡を、広い光源開口を用いて、全微小レンズを照明して微小レンズのエッジ上に焦点を合わせた。次いで、狭い光源開口に切り替えて、微小レンズの焦点が見えるまで顕微鏡ステージを持ち上げた。焦点の長さはステージを持ち上げた距離であった。この試料（実施例Ａ）に対しては、焦点の長さはほぼ１８４μｍであった。
【００７３】
次に、実質的にコリメートした光を用いて試料を照明して、図８に示す画像を生成させた。ＭＡＴＬＡＢ画像解析ソフトウエアを用いて、焦点（図８中の最高強度の点）の間の距離を測定して、各焦点に対して最近隣までの距離を求めた。最近隣の焦点距離の累積分布を図９に示す。平均の最近隣の焦点距離は約１８μｍであった。
【００７４】
次いで、ＢＹＫ−ＧａｒｄｉｎｅｒからのＨａｚｅ−Ｇａｒｄ  Ｐｌｕｓヘーズメーターを用いて、フィルムのヘーズを測定し、６％であることを見出した。
【００７５】
このように、構造化光学フィルムの実施形態を開示する。当業者は、本明細書に記載される光学フィルム及びフィルム物品は、開示の実施形態以外の実施形態と共に実施され得ることを認識するであろう。開示された実施形態は、例証するために提示されるもので、制限するためのものではない。
【００７６】
次は、本開示による代表的な実施形態である。
項目１．光学フィルムであって、
同一の第１の方向に沿って延在する複数のリニアプリズムを備える第１の構造化主表面；及び
複数の密充填された微小レンズを備える対向する第２の構造化主表面を備え、各微小レンズが、最大の横方向寸法Ｄ、円相当径ＥＣＤ及び焦点に対応する有限の焦点の長さｆを有し、複数の密充填された微小レンズが、平均の最大の横方向寸法Ｄａｖｇ、平均の円相当径ＥＣＤａｖｇ及び平均の焦点の長さｆａｖｇを有し、ＥＣＤａｖｇ／ｆａｖｇが約０．０５〜約０．２０の範囲にあり、Ｄａｖｇが約５０μｍ未満であり、前記第２の構造化主表面の約３０％未満が約５度よりも大きい勾配の大きさを有する、光学フィルム。
【００７７】
項目２．第２の構造化主表面の少なくとも９０％が、前記微小レンズにより覆われている、項目１に記載の光学フィルム。
【００７８】
項目３．第２の構造化主表面の少なくとも９４％が、前記微小レンズにより覆われている、項目１に記載の光学フィルム。
【００７９】
項目４．第２の構造化主表面の少なくとも９８％が、前記微小レンズにより覆われている、項目１に記載の光学フィルム。
【００８０】
項目５．第２の構造化主表面の少なくとも９９％が、前記微小レンズにより覆われている、項目１に記載の光学フィルム。
【００８１】
項目６．ＥＣＤａｖｇ／ｆａｖｇが、約０．０５〜約０．１９の範囲にある、項目１に記載の光学フィルム。
【００８２】
項目７．ＥＣＤａｖｇ／ｆａｖｇが、約０．０６〜約０．１９の範囲にある、項目１に記載の光学フィルム。
【００８３】
項目８．ＥＣＤａｖｇ／ｆａｖｇが、約０．０６〜約０．１８の範囲にある、項目１に記載の光学フィルム。
【００８４】
項目９．ＥＣＤａｖｇ／ｆａｖｇが、約０．０７〜約０．１８の範囲にある、項目１に記載の光学フィルム。
【００８５】
項目１０．Ｄａｖｇが、約４５μｍ未満である、項目１に記載の光学フィルム。
【００８６】
項目１１．Ｄａｖｇが、約４０μｍ未満である、項目１に記載の光学フィルム。
【００８７】
項目１２．複数の密充填された微小レンズ中の前記微小レンズの少なくとも８０％が、約５０μｍ未満の最大の横方向寸法Ｄを有する、項目１に記載の光学フィルム。
【００８８】
項目１３．複数の密充填された微小レンズ中の前記微小レンズの少なくとも８０％が、約４５μｍ未満の最大の横方向寸法Ｄを有する、項目１に記載の光学フィルム。
【００８９】
項目１４．複数の密充填された微小レンズ中の前記微小レンズの少なくとも８０％が、約４０μｍ未満の最大の横方向寸法Ｄを有する、項目１に記載の光学フィルム。
【００９０】
項目１５．複数の密充填された微小レンズ中の前記微小レンズの少なくとも４０％が、約３２μｍ未満の最大の横方向寸法Ｄを有する、項目１に記載の光学フィルム。
【００９１】
項目１６．複数の密充填された微小レンズ中の前記微小レンズの少なくとも２０％が、約２４μｍ未満の最大の横方向寸法Ｄを有する、項目１に記載の光学フィルム。
【００９２】
項目１７．前記第２の構造化主表面の約２０％未満が、約５度よりも大きい勾配の大きさを有する、項目１に記載の光学フィルム。
【００９３】
項目１８．前記第２の構造化主表面の約１５％未満が、約５度よりも大きい勾配の大きさを有する、項目１に記載の光学フィルム。
【００９４】
項目１９．前記第２の構造化主表面の約１０％未満が、約５度よりも大きい勾配の大きさを有する、項目１に記載の光学フィルム。
【００９５】
項目２０．前記第２の構造化主表面の約４０％未満が、約４度よりも大きい勾配の大きさを有する、項目１に記載の光学フィルム。
【００９６】
項目２１前記第２の構造化主表面の約３０％未満が、約４度よりも大きい勾配の大きさを有する、項目１に記載の光学フィルム。
【００９７】
項目２２．前記第２の構造化主表面の約２５％未満が、約４度よりも大きい勾配の大きさを有する、項目１に記載の光学フィルム。
【００９８】
項目２４．前記第２の構造化主表面の約５０％未満が、約３度よりも大きい勾配の大きさを有する、項目１に記載の光学フィルム。
【００９９】
項目２５．前記第２の構造化主表面の約４５％未満が、約３度よりも大きい勾配の大きさを有する、項目１に記載の光学フィルム。
【０１００】
項目２６前記第２の構造化主表面の約４０％未満が、約３度よりも大きい勾配の大きさを有する、項目１に記載の光学フィルム。
【０１０１】
項目２７．前記第２の構造化主表面の約８０％未満が、約２度よりも大きい勾配の大きさを有する、項目１に記載の光学フィルム。
【０１０２】
項目２８．前記第２の構造化主表面の約７０％未満が、約２度よりも大きい勾配の大きさを有する、項目１に記載の光学フィルム。
【０１０３】
項目２９．前記第２の構造化主表面の約６５％未満が、約２度よりも大きい勾配の大きさを有する、項目１に記載の光学フィルム。
【０１０４】
項目３０．複数の微小レンズ中の前記微小レンズの少なくとも８０％が、約２７μｍ未満である円相当径ＥＣＤを有する、項目１に記載の光学フィルム。
【０１０５】
項目３１．複数の微小レンズ中の前記微小レンズの少なくとも４０％が、約２０μｍ未満である円相当径ＥＣＤを有する、項目１に記載の光学フィルム。
【０１０６】
項目３２．複数の微小レンズ中の前記微小レンズの少なくとも２０％が、約１４μｍ未満である円相当径ＥＣＤを有する、項目１に記載の光学フィルム。
【０１０７】
項目３３．複数の微小レンズ中の前記微小レンズの少なくとも９０％が、約１．５μｍ未満であるピーク高さを有する、項目１に記載の光学フィルム。
【０１０８】
項目３４．複数の微小レンズ中の前記微小レンズの少なくとも８０％が、約１．２μｍ未満であるピーク高さを有する、項目１に記載の光学フィルム。
【０１０９】
項目３５．複数の微小レンズ中の前記微小レンズの少なくとも４０％が、約０．７μｍ未満であるピーク高さを有する、項目１に記載の光学フィルム。
【０１１０】
項目３６．複数の微小レンズ中の前記微小レンズの少なくとも９０％が、約３０μｍ未満である最近隣の焦点距離を有する、項目１に記載の光学フィルム。
【０１１１】
項目３７．複数の微小レンズ中の前記微小レンズの少なくとも９０％が、約２５μｍ未満である最近隣の焦点距離を有する、項目１に記載の光学フィルム。
【０１１２】
項目３８．複数の微小レンズ中の前記微小レンズの少なくとも４０％が、約１８μｍ未満である最近隣の焦点距離を有する、項目１に記載の光学フィルム。
【０１１３】
項目３９．複数の微小レンズ中の前記微小レンズの少なくとも２０％が、約１５μｍ未満である最近隣の焦点距離を有する、項目１に記載の光学フィルム。
【０１１４】
項目４０．前記第２の構造化主表面が、約３％〜約２５％の範囲の光学ヘーズを有する、項目１に記載の光学フィルム。
【０１１５】
項目４１．前記第２の構造化主表面が、約５％〜約２０％の範囲の光学ヘーズを有する、項目１に記載の光学フィルム。
【０１１６】
項目４２．ｆａｖｇが、約２５０μｍ未満である、項目１に記載の光学フィルム。
【０１１７】
項目４３．ｆａｖｇが、約２２５μｍ未満である、項目１に記載の光学フィルム。
【０１１８】
項目４４．ｆａｖｇが、約２００μｍ未満である、項目１に記載の光学フィルム。
【０１１９】
項目４５．前記光学フィルムの平均の有効透過率が、前記第２の主表面が構造化されていないことを除いて同一の構成を有する光学フィルムと比べて、同じか高い、又は低く、その差は約１０％以下である、項目１に記載の光学フィルム。
【０１２０】
項目４６．少なくとも１．３の平均の有効透過率を有する、項目１に記載の光学フィルム。
【０１２１】
項目４７．前記第２の構造化主表面が、第１の方向に第１の視角ＡＨをもって及び第１の方向と直交する第２の方向にＡＨに実質的に等しい第２の視角ＡＶをもって光を散乱する、項目１に記載の光学フィルム。
【０１２２】
項目４８．ＡＶとＡＨとの差異が、１０度未満である、項目４７に記載の光学フィルム。
【０１２３】
項目４９．前記第２の構造化主表面が、第１の方向に第１の視角ＡＨをもって及び第１の方向と直交する第２の方向にＡＨに実質的に等しい第２の視角ＡＶをもって光を散乱する、項目１に記載の光学フィルム。
【０１２４】
項目５０．ＡＶとＡＨとの差異が、１５度超である、項目４９に記載の光学フィルム。
【０１２５】
項目５１．第１の方向と異なる同一の第２の方向に沿って延在する複数のを含む導光フィルム上に配置された項目１に記載の光学フィルムを含む光学積層体。
【０１２６】
項目５２．反射型偏光子を更に含み、項目１に記載の光学フィルムが、前記反射型偏光子と前記導光フィルムとの間に配置される、項目５１に記載の光学積層体。
【０１２７】
項目５３．前記反射型偏光子層が、交互層を備え、前記交互層の少なくとも１つが複屈折材料を備える、項目５２に記載の光学積層体。
【０１２８】
項目５４．前記反射型偏光子層が、ワイヤグリッド反射型偏光子を備える、項目５２に記載の光学積層体。
【０１２９】
項目５５．前記反射型偏光子層が、コレステリック反射型偏光子を備える、項目５２に記載の光学積層体。
【０１３０】
項目５６．前記反射型偏光子層が、複数の実質的に平行な繊維を備え、前記繊維が複屈折材料を備える、項目５２に記載の光学積層体。
【０１３１】
項目５７．前記反射型偏光子層が、拡散反射偏光フィルム（ＤＲＰＦ）を備える、項目５２に記載の光学積層体。
【０１３２】
項目５８．光学フィルムであって、
同一の第１の方向に沿って延在する複数のリニアプリズムを備える第１の構造化主表面；及び
複数の密充填された微小レンズを備える対向する第２の構造化主表面を備え、各微小レンズが、円相当径ＥＣＤ及び焦点に対応する有限の焦点の長さｆを有し、複数の密充填された微小レンズが平均の円相当径ＥＣＤａｖｇ及び平均の焦点の長さｆａｖｇを有し、ＥＣＤａｖｇ／ｆａｖｇが、約０．０５〜約０．２０の範囲にあり、複数の密充填された微小レンズ中の前記微小レンズの少なくとも９０％が、約３０μｍ未満の最近隣の焦点距離を有し、前記第２の構造化主表面の約３０％未満が、約５度よりも大きい勾配の大きさを有する、光学フィルム。
【０１３３】
項目５９．第２の構造化主表面の少なくとも９０％が、前記微小レンズにより覆われている、項目５８に記載の光学フィルム。
【０１３４】
項目６０．第２の構造化主表面の少なくとも９４％が、前記微小レンズにより覆われている、項目５８に記載の光学フィルム。
【０１３５】
項目６１．第２の構造化主表面の少なくとも９８％が、前記微小レンズにより覆われている、項目５８に記載の光学フィルム。
【０１３６】
項目６２．第２の構造化主表面の少なくとも９９％が、前記微小レンズにより覆われている、項目５８に記載の光学フィルム。
【０１３７】
項目６３．ＥＣＤａｖｇ／ｆａｖｇが、約０．０５〜約０．１９の範囲にある、項目５８に記載の光学フィルム。
【０１３８】
項目６４．ＥＣＤａｖｇ／ｆａｖｇが、約０．０６〜約０．１９の範囲にある、項目５８に記載の光学フィルム。
【０１３９】
項目６５．ＥＣＤａｖｇ／ｆａｖｇが、約０．０６〜約０．１８の範囲にある、項目５８に記載の光学フィルム。
【０１４０】
項目６６．ＥＣＤａｖｇ／ｆａｖｇが、約０．０７〜約０．１８の範囲にある、項目５８に記載の光学フィルム。
【０１４１】
項目６７．Ｄａｖｇが、約５０μｍ未満である、項目５８に記載の光学フィルム。
【０１４２】
項目６８．Ｄａｖｇが、約４５μｍ未満である、項目５８に記載の光学フィルム。
【０１４３】
項目６９．Ｄａｖｇが、約４０μｍ未満である、項目５８に記載の光学フィルム。
【０１４４】
項目７０．複数の微小レンズ中の前記微小レンズの少なくとも８０％が、約５０μｍ未満の最大の横方向寸法Ｄを有する、項目５８に記載の光学フィルム。
【０１４５】
項目７１．複数の微小レンズ中の前記微小レンズの少なくとも８０％が、約４５μｍ未満の最大の横方向寸法Ｄを有する、項目５８に記載の光学フィルム。
【０１４６】
項目７２．複数の微小レンズ中の前記微小レンズの少なくとも８０％が、約４０μｍ未満の最大の横方向寸法Ｄを有する、項目５８に記載の光学フィルム。
【０１４７】
項目７３．複数の微小レンズ中の前記微小レンズの少なくとも４０％が、約３２μｍ未満の最大の横方向寸法Ｄを有する、項目５８に記載の光学フィルム。
【０１４８】
項目７４．複数の微小レンズ中の前記微小レンズの少なくとも２０％が、約２４μｍ未満の最大の横方向寸法Ｄを有する、項目５８に記載の光学フィルム。
【０１４９】
項目７５．前記第２の構造化主表面の約２０％未満が、約５度よりも大きい勾配の大きさを有する、項目５８に記載の光学フィルム。
【０１５０】
項目７６．前記第２の構造化主表面の約１５％未満が、約５度よりも大きい勾配の大きさを有する、項目５８に記載の光学フィルム。
【０１５１】
項目７７．前記第２の構造化主表面の約１０％未満が、約５度よりも大きい勾配の大きさを有する、項目５８に記載の光学フィルム。
【０１５２】
項目７８．前記第２の構造化主表面の約４０％未満が、約４度よりも大きい勾配の大きさを有する、項目５８に記載の光学フィルム。
【０１５３】
項目７９．前記第２の構造化主表面の約３０％未満が、約４度よりも大きい勾配の大きさを有する、項目５８に記載の光学フィルム。
【０１５４】
項目８０．前記第２の構造化主表面の約２５％未満が、約４度よりも大きい勾配の大きさを有する、項目５８に記載の光学フィルム。
【０１５５】
項目８１．前記第２の構造化主表面の約５０％未満が、約３度よりも大きい勾配の大きさを有する、項目５８に記載の光学フィルム。
【０１５６】
項目８２．前記第２の構造化主表面の約４５％未満が、約３度よりも大きい勾配の大きさを有する、項目５８に記載の光学フィルム。
【０１５７】
項目８３．前記第２の構造化主表面の約４０％未満が、約３度よりも大きい勾配の大きさを有する、項目５８に記載の光学フィルム。
【０１５８】
項目８４．前記第２の構造化主表面の約８０％未満が、約２度よりも大きい勾配の大きさを有する、項目５８に記載の光学フィルム。
【０１５９】
項目８５．前記第２の構造化主表面の約７０％未満が、約２度よりも大きい勾配の大きさを有する、項目５８に記載の光学フィルム。
【０１６０】
項目８６．前記第２の構造化主表面の約６５％未満が、約２度よりも大きい勾配の大きさを有する、項目５８に記載の光学フィルム。
【０１６１】
項目８７．複数の微小レンズ中の前記微小レンズの少なくとも８０％が、約２７μｍ未満である円相当径ＥＣＤを有する、項目５８に記載の光学フィルム。
【０１６２】
項目８８．複数の微小レンズ中の前記微小レンズの少なくとも４０％が、約２０μｍ未満である円相当径ＥＣＤを有する、項目５８に記載の光学フィルム。
【０１６３】
項目８９．複数の微小レンズ中の前記微小レンズの少なくとも２０％が、約１４μｍ未満である円相当径ＥＣＤを有する、項目５８に記載の光学フィルム。
【０１６４】
項目９０．複数の微小レンズ中の前記微小レンズの少なくとも９０％が、約１．５μｍ未満であるピーク高さを有する、項目５８に記載の光学フィルム。
【０１６５】
項目９１．複数の微小レンズ中の前記微小レンズの少なくとも８０％が、約１．２μｍ未満であるピーク高さを有する、項目５８に記載の光学フィルム。
【０１６６】
項目９２．複数の微小レンズ中の前記微小レンズの少なくとも４０％が、約０．７μｍ未満であるピーク高さを有する、項目５８に記載の光学フィルム。
【０１６７】
項目９３．複数の微小レンズ中の前記微小レンズの少なくとも９０％が、約２５μｍ未満である最近隣の焦点距離を有する、項目５８に記載の光学フィルム。
【０１６８】
項目９４．複数の微小レンズ中の前記微小レンズの少なくとも４０％が、約１８μｍ未満である最近隣の焦点距離を有する、項目５８に記載の光学フィルム。
【０１６９】
項目９５．複数の微小レンズ中の前記微小レンズの少なくとも２０％が、約１５μｍ未満である最近隣の焦点距離を有する、項目５８に記載の光学フィルム。
【０１７０】
項目９６．前記第２の構造化主表面が、約３％〜約２５％の範囲の光学ヘーズを有する、項目５８に記載の光学フィルム。
【０１７１】
項目９７．前記第２の構造化主表面が、約５％〜約２０％の範囲の光学ヘーズを有する、項目５８に記載の光学フィルム。
【０１７２】
項目９８．ｆａｖｇが、約２５０μｍ未満である、項目５８に記載の光学フィルム。
【０１７３】
項目９９．ｆａｖｇが、約２２５μｍ未満である、項目５８に記載の光学フィルム。
【０１７４】
項目１００．ｆａｖｇが、約２００μｍ未満である、項目５８に記載の光学フィルム。
【０１７５】
項目１０１．前記光学フィルムの平均の有効透過率が、前記第２の主表面が構造化されていないことを除いて同一の構成を有する光学フィルムと比べて、同じか高い、又は低く、その差は約１０％以下である、項目５８に記載の光学フィルム。
【０１７６】
項目１０２．少なくとも１．３の平均の有効透過率を有する、項目５８に記載の光学フィルム。
【０１７７】
項目１０３．前記第２の構造化主表面が、第１の方向に第１の視角ＡＨをもって及び第１の方向と直交する第２の方向にＡＨに実質的に等しい第２の視角ＡＶをもって光を散乱する、項目５８に記載の光学フィルム。
【０１７８】
項目１０４．ＡＶとＡＨとの差異が、１０度未満である、項目１０３に記載の光学フィルム。
【０１７９】
項目１０５．前記第２の構造化主表面が、第１の方向に第１の視角ＡＨをもって及び第１の方向と直交する第２の方向にＡＨに実質的に等しい第２の視角ＡＶをもって光を散乱する、項目５８に記載の光学フィルム。
【０１８０】
項目１０６．ＡＶとＡＨとの差異が、１５度超である、項目１０５に記載の光学フィルム。
【０１８１】
項目１０７．第１の方向と異なる同一の第２の方向に沿って延在する複数のを含む導光フィルム上に配置された項目５８に記載の光学フィルムを含む光学積層体。
【０１８２】
項目１０８．反射型偏光子を更に含み、項目５８に記載の光学フィルムが、前記反射型偏光子と前記導光フィルムとの間に配置される、項目１０７に記載の光学積層体。
【０１８３】
項目１０９．前記反射型偏光子層が、交互層を備え、前記交互層の少なくとも１つが複屈折材料を備える、項目１０７に記載の光学積層体。
【０１８４】
項目１１０．前記反射型偏光子層が、ワイヤグリッド反射型偏光子を備える、項目１０７に記載の光学積層体。
【０１８５】
項目１１１．前記反射型偏光子層が、コレステリック反射型偏光子を備える、項目１０７に記載の光学積層体。
【０１８６】
項目１１２．前記反射型偏光子層が、複数の実質的に平行な繊維を備え、前記繊維が複屈折材料を備える、項目１０７に記載の光学積層体。
【０１８７】
項目１１３．前記反射型偏光子層が、拡散反射偏光フィルム（ＤＲＰＦ）を備える、項目１０７に記載の光学積層体。
【０１８８】
項目１１４．光学フィルムであって、
同一の第１の方向に沿って延在する複数のリニアプリズムを備える第１の構造化主表面；及び
複数の密充填された微小レンズを備える、対向する第２の構造化主表面と、を備え、各微小レンズが、最大の横方向寸法Ｄを有し、前記複数の密充填された微小レンズが、平均の最大の横方向寸法Ｄａｖｇを有し、Ｄａｖｇが、約５０μｍ未満であり、前記複数の密充填された微小レンズ中の前記微小レンズの少なくとも９０％が、約３０μｍ未満の最近隣の焦点距離を有し、前記第２の構造化主表面の約３０％未満が約５度よりも大きい勾配の大きさを有する、光学フィルム。
【０１８９】
項目１１５．第２の構造化主表面の少なくとも９０％が、前記微小レンズにより覆われている、項目１１４に記載の光学フィルム。
【０１９０】
項目１１６．第２の構造化主表面の少なくとも９４％が、前記微小レンズにより覆われている、項目１１４に記載の光学フィルム。
【０１９１】
項目１１７．第２の構造化主表面の少なくとも９８％が、前記微小レンズにより覆われている、項目１１４に記載の光学フィルム。
【０１９２】
項目１１８．第２の構造化主表面の少なくとも９９％が、前記微小レンズにより覆われている、項目１１４に記載の光学フィルム。
【０１９３】
項目１１９．Ｄａｖｇが、約４５μｍ未満である、項目１１４に記載の光学フィルム。
【０１９４】
項目１２０．Ｄａｖｇが、約４０μｍ未満である、項目１１４に記載の光学フィルム。
【０１９５】
項目１２１．複数の微小レンズ中の前記微小レンズの少なくとも８０％が、約５０μｍ未満の最大の横方向寸法Ｄを有する、項目１１４に記載の光学フィルム。
【０１９６】
項目１２２．複数の微小レンズ中の前記微小レンズの少なくとも８０％が、約４５μｍ未満の最大の横方向寸法Ｄを有する、項目１１４に記載の光学フィルム。
【０１９７】
項目１２３．複数の微小レンズ中の前記微小レンズの少なくとも８０％が、約４０μｍ未満の最大の横方向寸法Ｄを有する、項目１１４に記載の光学フィルム。
【０１９８】
項目１２４．複数の微小レンズ中の前記微小レンズの少なくとも４０％が、約３２μｍ未満の最大の横方向寸法Ｄを有する、項目１１４に記載の光学フィルム。
【０１９９】
項目１２５．複数の微小レンズ中の前記微小レンズの少なくとも２０％が、約２４μｍ未満の最大の横方向寸法Ｄを有する、項目１１４に記載の光学フィルム。
【０２００】
項目１２６．前記第２の構造化主表面の約２０％未満が、約５度よりも大きい勾配の大きさを有する、項目１１４に記載の光学フィルム。
【０２０１】
項目１２７．前記第２の構造化主表面の約１５％未満が、約５度よりも大きい勾配の大きさを有する、項目１１４に記載の光学フィルム。
【０２０２】
項目１２８．前記第２の構造化主表面の約１０％未満が、約５度よりも大きい勾配の大きさを有する、項目１１４に記載の光学フィルム。
【０２０３】
項目１２９．前記第２の構造化主表面の約４０％未満が、約４度よりも大きい勾配の大きさを有する、項目１１４に記載の光学フィルム。
【０２０４】
項目１３０．前記第２の構造化主表面の約３０％未満が、約４度よりも大きい勾配の大きさを有する、項目１１４に記載の光学フィルム。
【０２０５】
項目１３１．前記第２の構造化主表面の約２５％未満が、約４度よりも大きい勾配の大きさを有する、項目１１４に記載の光学フィルム。
【０２０６】
項目１３２．前記第２の構造化主表面の約５０％未満が、約３度よりも大きい勾配の大きさを有する、項目１１４に記載の光学フィルム。
【０２０７】
項目１３３．前記第２の構造化主表面の約４５％未満が、約３度よりも大きい勾配の大きさを有する、項目１１４に記載の光学フィルム。
【０２０８】
項目１３４．前記第２の構造化主表面の約４０％未満が、約３度よりも大きい勾配の大きさを有する、項目１１４に記載の光学フィルム。
【０２０９】
項目１３５．前記第２の構造化主表面の約８０％未満が、約２度よりも大きい勾配の大きさを有する、項目１１４に記載の光学フィルム。
【０２１０】
項目１３６．前記第２の構造化主表面の約７０％未満が、約２度よりも大きい勾配の大きさを有する、項目１１４に記載の光学フィルム。
【０２１１】
項目１３７．前記第２の構造化主表面の約６５％未満が、約２度よりも大きい勾配の大きさを有する、項目１１４に記載の光学フィルム。
【０２１２】
項目１３８．複数の微小レンズ中の前記微小レンズの少なくとも９０％が、約２５μｍ未満である最近隣の焦点距離を有する、項目１１４に記載の光学フィルム。
【０２１３】
項目１３９．複数の微小レンズ中の前記微小レンズの少なくとも４０％が、約１８μｍ未満である最近隣の焦点距離を有する、項目１１４に記載の光学フィルム。
【０２１４】
項目１４０．複数の微小レンズ中の前記微小レンズの少なくとも２０％が、約１５μｍ未満である最近隣の焦点距離を有する、項目１１４に記載の光学フィルム。
【０２１５】
項目１４１．各微小レンズが、円相当径ＥＣＤ及び焦点に対応する有限の焦点の長さｆを有し、複数の密充填された微小レンズが、平均の円相当径ＥＣＤａｖｇ及び平均の焦点の長さｆａｖｇを有し、ＥＣＤａｖｇ／ｆａｖｇが、約０．０５〜約０．２０の範囲にある、項目１１４に記載の光学フィルム。
【０２１６】
項目１４２．ＥＣＤａｖｇ／ｆａｖｇが、約０．０５〜約０．１９の範囲にある、項目１４１に記載の光学フィルム。
【０２１７】
項目１４３．ＥＣＤａｖｇ／ｆａｖｇが、約０．０６〜約０．１９の範囲にある、項目１４１に記載の光学フィルム。
【０２１８】
項目１４４．ＥＣＤａｖｇ／ｆａｖｇが、約０．０６〜約０．１８の範囲にある、項目１４１に記載の光学フィルム。
【０２１９】
項目１４５．ＥＣＤａｖｇ／ｆａｖｇが、約０．０７〜約０．１８の範囲にある、項目１４１に記載の光学フィルム。
【０２２０】
項目１４５．複数の微小レンズ中の前記微小レンズの少なくとも８０％が、約２７μｍ未満である円相当径ＥＣＤを有する、項目１４１に記載の光学フィルム。
【０２２１】
項目１４６．複数の微小レンズ中の前記微小レンズの少なくとも４０％が、約２０μｍ未満である円相当径ＥＣＤを有する、項目１４１に記載の光学フィルム。
【０２２２】
項目１４７．複数の微小レンズ中の前記微小レンズの少なくとも２０％が、約１４μｍ未満である円相当径ＥＣＤを有する、項目１４１に記載の光学フィルム。
【０２２３】
項目１４８．複数の微小レンズ中の前記微小レンズの少なくとも９０％が、約１．５μｍ未満であるピーク高さを有する、項目１１４に記載の光学フィルム。
【０２２４】
項目１４９．複数の微小レンズ中の前記微小レンズの少なくとも８０％が、約１．２μｍ未満であるピーク高さを有する、項目１１４に記載の光学フィルム。
【０２２５】
項目１５０．複数の微小レンズ中の前記微小レンズの少なくとも４０％が、約０．７μｍ未満であるピーク高さを有する、項目１１４に記載の光学フィルム。
【０２２６】
項目１５１．前記第２の構造化主表面が、約３％〜約２５％の範囲の光学ヘーズを有する、項目１１４に記載の光学フィルム。
【０２２７】
項目１５２．前記第２の構造化主表面が、約５％〜約２０％の範囲の光学ヘーズを有する、項目１１４に記載の光学フィルム。
【０２２８】
項目１５３．ｆａｖｇが、約２５０μｍ未満である、項目１４１に記載の光学フィルム。
【０２２９】
項目１５４ｆａｖｇが、約２２５μｍ未満である、項目１４１に記載の光学フィルム。
【０２３０】
項目１５５．ｆａｖｇが、約２００μｍ未満である、項目１４１に記載の光学フィルム。
【０２３１】
項目１５６．前記光学フィルムの平均の有効透過率が、前記第２の主表面が構造化されていないことを除いて同一の構成を有する光学フィルムと比べて、同じか高い、又は低く、その差は約１０％以下である、項目１１４に記載の光学フィルム。
【０２３２】
項目１５７．少なくとも１．３の平均の有効透過率を有する、項目１１４に記載の光学フィルム。
【０２３３】
項目１５８．前記第２の構造化主表面が、第１の方向に第１の視角ＡＨをもって及び第１の方向と直交する第２の方向にＡＨに実質的に等しい第２の視角ＡＶをもって光を散乱する、項目１１４に記載の光学フィルム。
【０２３４】
項目１５９．ＡＶとＡＨとの差異が、１０度未満である、項目１５８に記載の光学フィルム。
【０２３５】
項目１６０．前記第２の構造化主表面が、第１の方向に第１の視角ＡＨをもって及び第１の方向と直交する第２の方向にＡＨに実質的に等しい第２の視角ＡＶをもって光を散乱する、項目１１４に記載の光学フィルム。
【０２３６】
項目１６１．ＡＶとＡＨとの差異が、１５度超である、項目１６０に記載の光学フィルム。
【０２３７】
項目１６２．第１の方向と異なる同一の第２の方向に沿って延在する複数のを含む導光フィルム上に配置された項目１１４に記載の光学フィルムを含む光学積層体。
【０２３８】
項目１６３．反射型偏光子を更に含み、項目１１４に記載の光学フィルムが、前記反射型偏光子と前記導光フィルムとの間に配置される、項目１６２に記載の光学積層体。
【０２３９】
項目１６４．前記反射型偏光子層が、交互層を備え、前記交互層の少なくとも１つが複屈折材料を備える、項目１６２に記載の光学積層体。
【０２４０】
項目１６５．前記反射型偏光子層が、ワイヤグリッド反射型偏光子を備える、項目１６２に記載の光学積層体。
【０２４１】
項目１６６．前記反射型偏光子層が、コレステリック反射型偏光子を備える、項目１６２に記載の光学積層体。
【０２４２】
項目１６７．前記反射型偏光子層が、複数の実質的に平行繊維を備え、前記繊維が複屈折材料を備える、項目１６２に記載の光学積層体。
【０２４３】
項目１６８．前記反射型偏光子層が、拡散反射偏光フィルム（ＤＲＰＦ）を備える、項目１６２に記載の光学積層体。本発明の実施態様の一部を以下の項目［１］−［１０］に記載する。
[１]
光学フィルムであって、
同一の第１の方向に沿って延在する複数のリニアプリズムを備える第１の構造化主表面と、
複数の密充填された微小レンズを備える、対向する第２の構造化主表面と、を備え、各微小レンズが、最大の横方向寸法Ｄ、円相当径ＥＣＤ及び焦点に対応する有限の焦点の長さｆを有し、前記複数の密充填された微小レンズが、平均の最大の横方向寸法Ｄａｖｇ、平均の円相当径ＥＣＤａｖｇ及び平均の焦点の長さｆａｖｇを有し、ＥＣＤａｖｇ／ｆａｖｇが約０．０５〜約０．２０の範囲にあり、Ｄａｖｇが約５０μｍ未満であり、前記第２の構造化主表面の約３０％未満が、約５度よりも大きい勾配の大きさを有する、光学フィルム。
[２]
光学フィルムであって、
同一の第１の方向に沿って延在する複数のリニアプリズムを備える第１の構造化主表面と、
複数の密充填された微小レンズを備える、対向する第２の構造化主表面と、を備え、各微小レンズが、円相当径ＥＣＤ及び焦点に対応する有限の焦点の長さｆを有し、前記複数の密充填された微小レンズが平均の円相当径ＥＣＤａｖｇ及び平均の焦点の長さｆａｖｇを有し、ＥＣＤａｖｇ／ｆａｖｇが約０．０５〜約０．２０の範囲にあり、前記複数の密充填された微小レンズ中の前記微小レンズの少なくとも９０％が、約３０μｍ未満の最近隣の焦点距離を有し、前記第２の構造化主表面の約３０％未満が、約５度よりも大きい勾配の大きさを有する、光学フィルム。
[３]
光学フィルムであって、
同一の第１の方向に沿って延在する複数のリニアプリズムを備える第１の構造化主表面と、
複数の密充填された微小レンズを備える、対向する第２の構造化主表面と、を備え、各微小レンズが、最大の横方向寸法Ｄを有し、前記複数の密充填された微小レンズが、平均の最大の横方向寸法Ｄａｖｇを有し、Ｄａｖｇが、約５０μｍ未満であり、前記複数の密充填された微小レンズ中の前記微小レンズの少なくとも９０％が、約３０μｍ未満の最近隣の焦点距離を有し、前記第２の構造化主表面の約３０％未満が約５度よりも大きい勾配の大きさを有する、光学フィルム。
[４]
第２の構造化主表面の少なくとも９０％が、前記微小レンズにより覆われている、項目１〜３のいずれか一項に記載の光学フィルム。
[５]
前記第２の構造化主表面の約２０％未満が、約５度よりも大きい勾配の大きさを有する、項目１〜４のいずれか一項に記載の光学フィルム。
[６]
前記複数の微小レンズ中の前記微小レンズの少なくとも８０％が、約２７μｍ未満の円相当径ＥＣＤを有する、項目１〜５のいずれか一項に記載の光学フィルム。
[７]
前記複数の微小レンズ中の前記微小レンズの少なくとも９０％が、約２５μｍ未満の最近隣の焦点距離を有する、項目１〜６のいずれか一項に記載の光学フィルム。
[８]
前記第２の構造化主表面が、約３％〜約２５％の範囲の光学ヘーズを有する、項目１〜７のいずれか一項に記載の光学フィルム。
[９]
前記光学フィルムの平均の有効透過率が、前記第２の主表面が構造化されていないことを除いて同一の構成を有する光学フィルムと比べて、同じか高い、又は低く、その差は約１０％以下である、項目１〜８のいずれか一項に記載の光学フィルム。
[１０]
少なくとも１．３の平均の有効透過率を有する、項目１〜９のいずれか一項に記載の光学フィルム。
【図１】
0006293114.tif 000005
【図２】
0006293114.tif 000006
【図３】
0006293114.tif 000007
【図４】
0006293114.tif 000008
【図５】
0006293114.tif 000009
【図６】
0006293114.tif 000010
【図７】
0006293114.tif 000011
【図８】
0006293114.tif 000012
【図９】
0006293114.tif 000013
【図１０】
0006293114.tif 000014
【図１１】
0006293114.tif 000015
【図１２】
0006293114.tif 000016